(57)【要約】  複数のビデオカメラと、複数のビデオモニタ装置と、複数の局所記憶装置と、１つのデータ伝送サブシステムと、少なくとも１つのビデオデータ収集および伝送装置と、少なくとも１つの収集記憶装置と、少なくとも１つのインタフェース装置と、を含むビデオ伝送システムが提供される。ビデオカメラからのビデオデータは、局所記憶装置に保存され、データ伝送サブシステムを通じて伝送されて、収集記憶装置の中に保存され、使用者に伝送されることになる。
2015536610.tif 000002
【特許請求の範囲】
【請求項１】
複数のビデオカメラと、
複数のビデオモニタ装置と、
複数の局所記憶装置と、
１つのデータ伝送サブシステムと、
少なくとも１つのビデオデータ収集および伝送装置と、
少なくとも１つの収集記憶装置と、
少なくとも１つのインタフェース装置と、
を含むビデオ伝送システムにおいて、
前記複数のビデオカメラが、ビデオデータを、前記複数の局所記憶装置に直接的に又は前記複数のビデオモニタ装置を通じて、送信するように構成され、
前記複数の局所記憶装置が、前記複数のビデオカメラから直接的に又は前記複数のビデオモニタ装置を通じて受信した前記ビデオデータの少なくとも一部を保存するように構成され、
前記データ伝送サブシステムが、前記ビデオデータの少なくとも一部を、前記複数のビデオモニタ装置および／または前記複数の局所記憶装置から、直接的に又は前記複数のビデオモニタ装置を通じて受信し、前記ビデオデータの少なくとも一部を前記収集記憶装置および／または前記インタフェース装置に、直接的に又は前記ビデオデータ収集および伝送装置を通じて伝送するように構成され、
前記収集記憶装置が、前記データ伝送サブシステムから、直接的に又は前記ビデオデータ収集および伝送装置を通じて受信した前記ビデオデータの少なくとも一部を保存するように構成され、
前記インタフェース装置が、少なくとも１名の使用者が、見たいビデオデータの供給源となる各ビデオカメラおよび／または各ビデオモニタ装置および／または各局所記憶装置、および／または見る必要のあるビデオデータを指定することができるように構成され、
前記ビデオデータ収集および伝送装置および／または前記インタフェース装置が、前記使用者により指定された前記ビデオデータの少なくとも一部を前記データ伝送サブシステムおよび／または前記収集記憶装置から受信し、前記使用者により指定された前記ビデオデータの少なくとも一部を前記使用者に伝送するように構成される、
ことを特徴とするビデオ伝送システム。
【請求項２】
請求項１に記載のシステムにおいて、
前記複数のビデオモニタ装置が、前記ビデオデータの少なくとも一部を前記複数のビデオカメラおよび／または前記複数の局所記憶装置から受信し、前記ビデオデータの少なくとも一部を前記データ伝送サブシステムに伝送するように構成される、
ことを特徴とするシステム。
【請求項３】
請求項１に記載のシステムにおいて、
前記ビデオデータ収集および伝送装置が、前記使用者により指定された前記ビデオデータの少なくとも一部を前記データ伝送サブシステムおよび／または前記収集記憶装置から受信し、前記使用者により指定された前記ビデオデータの少なくとも一部を前記使用者に直接的に又は前記インタフェース装置を通じて伝送するように構成される、
ことを特徴とするシステム。
【請求項４】
請求項１に記載のシステムにおいて、
前記複数のビデオカメラおよび／または前記複数のビデオモニタ装置が、前記各ビデオモニタ装置およびまたは前記各ビデオカメラおよび／または前記各局所記憶装置の識別情報を前記ビデオデータの少なくとも一部に割り当るように構成され、前記複数のビデオモニタ装置が、前記ビデオデータの少なくとも一部を、前記各ビデオモニタ装置および／または前記各ビデオカメラおよび／または前記各局所記憶装置の前記識別情報と一緒に伝送するように構成される、
ことを特徴とするシステム。
【請求項５】
請求項１に記載のシステムにおいて、
前記複数のビデオモニタ装置および／または前記ビデオデータ収集および伝送装置が、前記ビデオデータを処理するように構成され、前記ビデオデータの処理が、伝送されるべき前記ビデオデータの一部の圧縮および／または暗号化および／またはフォーマット変換および／またはアロケーションである、
ことを特徴とするシステム。
【請求項６】
複数のビデオカメラと、複数の局所記憶装置と、１つのデータ伝送サブシステムと、少なくとも１つのビデオデータ収集および伝送装置と、少なくとも１つの収集記憶装置と、少なくとも１つのインタフェース装置と、を含むビデオ伝送システムにおけるビデオモニタ装置であって、
前記ビデオモニタ装置が、少なくとも１台のビデオカメラと少なくとも１つの局所記憶装置と前記データ伝送サブシステムに接続可能であり、
前記ビデオモニタ装置が、ビデオデータを前記各ビデオカメラから受信し、前記各ビデオカメラから受信した前記ビデオデータの少なくとも一部を前記各局所記憶装置に保存するように構成され、および／または前記ビデオデータを前記各局所記憶装置から受信するように構成され、また、前記各ビデオカメラおよび／または前記各局所記憶装置から受信した前記ビデオテータの少なくとも一部を前記データ伝送サブシステムに伝送して、これらが前記ビデオデータ収集および伝送装置および／または前記収集記憶装置および／または前記インタフェース装置に伝送されるように構成される、
ことを特徴とするビデオモニタ装置。
【請求項７】
請求項６に記載の装置において、
前記ビデオモニタ装置が、前記ビデオモニタ装置および／または前記各ビデオカメラおよび／または前記各局所記憶装置の識別情報を前記ビデオデータの少なくとも一部に割り当てるように構成され、前記ビデオモニタ装置が、前記ビデオデータの少なくとも一部を前記ビデオモニタ装置および／または前記各ビデオカメラおよび／または前記各局所記憶装置の前記識別情報と一緒に伝送するように構成される、
ことを特徴とする装置。
【請求項８】
請求項６に記載の装置において、
前記ビデオモニタ装置が、前記ビデオデータを処理するように構成され、前記ビデオデータの処理が、送信されるべき前記ビデオデータの一部の圧縮および／または暗号化および／またはフォーマット変換および／またはアロケーションである、
ことを特徴とする装置。
【請求項９】
請求項６に記載の装置において、
前記ビデオモニタ装置が、ビデオデータを圧縮し、前記圧縮されたビデオデータの少なくとも一部を前記各局所記憶装置および／または前記データ伝送サブシステムに伝送するように構成される、
ことを特徴とする装置。
【請求項１０】
複数のビデオカメラと、複数のビデオモニタ装置と、複数の局所記憶装置と、１つのデータ伝送サブシステムと、少なくとも１つの収集記憶装置と、少なくとも１つのインタフェース装置と、を含むビデオ伝送システムにおけるビデオデータ収集および伝送装置であって、
前記ビデオデータ収集および伝送装置が、地理的に分散した場所に設置された前記複数のビデオカメラおよび／または前記複数のビデオモニタ装置および／または前記複数の局所記憶装置から、ビデオデータを収集し、伝送するように構成され、
前記ビデオデータ収集および伝送装置が、前記データ伝送サブシステムと前記収集記憶装置と前記インタフェース装置に接続可能であり、
前記ビデオデータ収集および伝送装置が、前記ビデオデータを前記データ伝送サブシステムから受信し、受信した前記ビデオデータの少なくとも一部を少なくとも１つの収集記憶装置に保存するように構成され、
前記ビデオデータ収集および伝送装置が、見たいビデオデータの供給源となる、使用者により指定された各ビデオカメラおよび／または各ビデオモニタ装置および／または各局所記憶装置、および／または前記使用者により指定されて見ることを要求されたビデオデータに関する情報を前記インタフェース装置から受信するように構成され、前記指定されたビデオデータの少なくとも一部を前記データ伝送サブシステムおよび／または前記収集記憶装置から受信し、前記指定されたビデオデータの少なくとも一部を前記使用者に直接的に又は前記インタフェース装置を通じて伝送するように構成される、
ことを特徴とする装置。
【請求項１１】
請求項１０に記載の装置において、
前記ビデオデータ収集および伝送装置が、前記ビデオデータを処理するように構成され、前記ビデオデータの処理が、送信されるべき前記ビデオデータの一部の圧縮および／または暗号化および／またはフォーマット変換および／またはアロケーションである、
ことを特徴とする装置。
【請求項１２】
複数のビデオカメラと、複数のビデオモニタ装置と、複数の局所記憶装置と、１つのデータ伝送サブシステムと、少なくとも１つのビデオデータ収集および伝送装置と、少なくとも１つの収集記憶装置と、を含むビデオ伝送システムのインタフェース装置において、
前記インタフェース装置が、前記データ伝送サブシステムおよび／または前記ビデオデータ収集および伝送装置および／または前記収集記憶装置に接続可能であり、
前記インタフェース装置が、少なくとも１名の使用者が見たいビデオデータの供給源となる各ビデオカメラおよび／または各ビデオモニタ装置および／または各局所記憶装置、および／または見る必要のあるビデオデータを指定することができように構成され、
前記インタフェース装置が、前記指定されたビデオテータの少なくとも一部を前記データ伝送サブシステムおよび／または前記ビデオデータ収集および伝送装置および／または前記収集記憶装置から受信し、前記指定されたビデオデータの少なくとも一部を前記使用者に伝送するように構成される、
ことを特徴とする装置。
【発明の詳細な説明】
【技術分野】
【０００１】
本発明は、ビデオ画像を捕捉し、伝送する装置のシステム、特に複数のモニタ地点においてビデオデータを捕捉し、これらを複数の観察者に伝送することが可能なビデオモニタおよび放送システムに関する。
【背景技術】
【０００２】
国際特許出願第２００８１０７６８６号は、要求に応じてビデオ画像を音声信号と共に表示するように構成されたシステムを開示しており、これは、ビデオ画像を捕捉できる複数のカメラと、カメラから受け取ったビデオ画像を圧縮するようになされたビデオ圧縮モジュールを含むビデオモニタ装置と、圧縮モジュールによって圧縮されたビデオ信号を処理するように構成されたビデオアーカイブプログラミングモジュールと、前記圧縮されたビデオ信号を保存するように構成されたビデオアーカイブ記憶装置と、記憶装置に連結され、前記記憶装置から受け取ったビデオ画像を、モバイル機器フォーマット、ウェブビデオフォーマット、テレビビデオフォーマットから選択されるフォーマットに圧縮するようになされた第二のビデオ圧縮モジュールと、前記フォーマットに合わせられ、前記記憶装置に問い合わせを行うように構成され、遠隔モバイル機器、ウェブブラウザまたはテレビディスプレイコントローラおよび、前記フォーマットに適したペイメントゲートウェイと通信可能なビデオデータ伝送装置（サーバ）と、を含み、保存されたビデオ画像は圧縮されて、前記サーバに中継され、その後、前記遠隔モバイル機器、ウェブブラウザまたはテレビディスプレイコントローラのいずれかからの特定のビデオ画像を求める要求によってトリガされると、前記サーバからの要求に応じて、前記支払手段の許可を受けたところで前記モバイル機器、ウェブブラウザまたはテレビディスプレイコントローラへと中継される。
【０００３】
このビデオ伝送システムによって、イベントが開催される場所、たとえばスタジアムやコンサートホールに設置された何台かのビデオカメラからデータを捕捉し、複数の使用者に伝送することが可能となる。しかし同時に、システムが同時にビデオモニタされるイベントのための、相互に、たとえば１キロメートルから数千キロメートルも遠く離れた複数の場所で運用される場合、前記システムは使用できないか、または多大な物的または金銭的コストがかかり、その原因は、そのようなイベントが違う都市、または同じ都市内の異なる地区で開催された場合、ビデオ画像データが、圧縮データと非圧縮データのいずれも大量となるため、ビデオ画像データを記憶装置に伝送するための大容量の専用データ伝送チャネルが必要になるという事実である。大量のデータを伝送するための大容量の専用データ伝送チャネルを提供するためには、ある高性能の設備を設置またはレンタルする必要があり、これは高額な金銭的コストにつながる。
【０００４】
国際特許出願第２００８１０７６８６号で開示されている、複数の場所でのイベントを同時にビデオモニタするためのビデオ伝送システムの利用を制限している別の要素は、ビデオ画像に関するデータが、異なる場所に設置されたビデオカメラから伝送されるため、たとえばカメラの故障、データ伝送チャネルの破損または、データ受信時のビデオ画像の劣化を引き起こす障害によって失われる可能性がある、という点である。モニタ用ビデオカメラの設置場所が地理的に広範囲に分散している場合、ビデオデータ伝送期間全体にわたり、十分な容量のデータ伝送チャネルが常に提供されるとは限らない。ある場所でのイベント、たとえばコンサートまたはスポーツの試合がビデオ放送される場合は、１台のカメラからの信号が失われ、または劣化しても、伝送されたビデオ画像は、同じイベント地点に設置された別のビデオカメラからの画像と差し替えることができる。しかしながら、国政または地方選挙のような、地理的に離れた複数のイベントをビデオモニタする場合、１台のカメラからの信号を常に他のカメラからの画像と差し替えることができるとは限らず、ビデオ撮影のための各地点からのデータ伝送チャネルを構築し、維持することにはある程度の困難が伴うために、１台または数台のみのカメラを設置し、これらのカメラの各々が、たとえば国政または地方選挙のモニタを目的としたビデオ放送であれば投票所の、およびそこにある異なる区域や被写体の画像を伝送する。
【０００５】
同じビデオカメラからのビデオ記録の閲覧が複数の使用者によって連続的に要求された場合、国際出願第２００８１０７６８６号のビデオ伝送システムのデータ伝送サブシステムにかかる負荷が増大するが、これは、ビデオ記録のアーカイブのために記憶装置に保存されたビデオ記録を、サーバから使用者のモバイル機器、ウェブブラウザ、またはテレビ機器のコントローラに伝送するために、（使用者がサーバに送信する要求数に応じて）何度も伝送しなければならないからである。国際特許出願第２００８１０７６８６号の技術的解決策は、記憶装置がビデオモニタ装置の近傍またはその中に設置されて、ビデオデータがデータ伝送サブシステム、たとえばインターネットを通じてサーバに送信されることを前提としている。記憶装置がサーバの近傍に設置されているか、またはサーバの一部であれば、データ伝送サブシステムの負荷は軽減されるが、この場合、ビデオカメラとビデオモニタ装置からビデオデータが失われる危険性が高くなり、その理由は、その場合にはデータ伝送サブシステムを通じてデータを伝送しなければならず、それ自体が、またはそのインタフェース機器が故障したり、データ伝送速度が不十分であったりする可能性があるからである。
【発明の概要】
【発明が解決しようとする課題】
【０００６】
本発明の目的は、地理的に広範囲に分散した場所で同時に開催されている複数のイベントをモニタできるビデオモニタ装置とシステムを提供することであり、すなわちこれらは、相互に数キロメートルから何千、何万キロメートルまたはそれ以上離れた場所で開催されることがありうる。本発明の他の目的は、データ伝送サブシステムにかかる負荷を軽減させ（伝送データ量を縮小し）、それと同時にビデオデータ損失の危険性を低減させることである。本発明の別の目的は、ビデオモニタ装置および／またはビデオカメラの構成に従って、画像を識別し、その後、閲覧対象ビデオデータを選択できるようにすることである。
【課題を解決するための手段】
【０００７】
本発明の目的は、複数のビデオカメラと、複数のビデオモニタ装置と、複数の局所記憶装置と、１つのデータ伝送サブシステムと、少なくとも１つのビデオデータ収集および伝送装置と、少なくとも１つの収集記憶装置と、少なくとも１つのインタフェース装置と、を含むビデオ伝送システムによって達成できる。
【０００８】
ビデオ伝送システムは、ビデオデータを複数の局所記憶装置に直接的に又は複数のビデオモニタ装置を通じて伝送するように構成された複数のビデオカメラを含み、複数の局所記憶装置は、複数のビデオカメラから直接的に又は複数のビデオモニタ装置を通じて受信したビデオデータの少なくとも一部を保存するように構成される。さらに、データ伝送サブシステムは、ビデオデータの少なくとも一部を複数のビデオモニタ装置および／または複数の局所記憶装置から直接的に又は複数のビデオモニタ装置を通じて受信し、ビデオデータの少なくとも一部を収集記憶装置および／またはインタフェース装置に直接的に又はビデオデータ収集および伝送装置を通じて伝送するように構成され、収集記憶装置は、データ伝送サブシステムから直接的に又はビデオデータ収集および伝送装置を通じて受信したビデオデータの少なくとも一部を保存するように構成される。
【０００９】
本発明によれば、インタフェース装置は、少なくとも１名の使用者が、見たいビデオデータの供給源となるビデオカメラおよび／またはビデオモニタ装置および／または局所記憶装置、および／または見る必要のあるビデオデータを指定できるように構成される。さらに、ビデオデータ収集および伝送装置および／またはインタフェース装置は、使用者により指定されたビデオデータの少なくとも一部をデータ伝送サブシステムおよび／または収集記憶装置から受信し、使用者により指定されビデオデータの少なくとも一部をその使用者に伝送するように構成される。
【００１０】
好ましい実施形態において、複数のビデオモニタ装置は、ビデオデータの少なくとも一部を複数のビデオカメラおよび／または複数の局所記憶装置から受信し、ビデオデータの少なくとも一部をデータ伝送サブシステムに伝送するように構成される。
【００１１】
ビデオデータ収集および伝送装置は、使用者により指定されたビデオデータの少なくとも一部をデータ伝送サブシステムおよび／または収集記憶装置から受信し、使用者により指定されたビデオデータの少なくとも一部をその使用者に直接、またはインタフェース装置を通じて伝送するように構成されてもよい。
【００１２】
複数のビデオカメラおよび／または複数のビデオモニタ装置は、有利な点として、各ビデオモニタ装置および／または各ビデオカメラおよび／または各局所記憶装置の識別情報をビデオデータの少なくとも一部に割り当てるように構成され、複数のビデオモニタ装置は、ビデオデータの少なくとも一部を、各ビデオモニタ装置および／または各ビデオカメラおよび／または各局所記憶装置の識別情報と一緒に伝送するように構成される。
【００１３】
本発明の好ましい実施形態において、複数のビデオモニタ装置および／またはビデオデータ収集および伝送装置は、ビデオデータの処理を行うように構成され、ビデオデータの処理は、伝送されるべきビデオデータの一部の圧縮および／または暗号化および／またはフォーマット変換および／またはアロケーションである。
【００１４】
本発明の目的を達成するために、複数のビデオカメラと、複数の局所記憶装置と、データ伝送サブシステムと、少なくとも１つのビデオデータ収集および伝送装置と、少なくとも１つの収集記憶装置と、少なくとも１つのインタフェース装置と、を含むビデオ伝送システムの中で使用されるビデオモニタ装置が提案される。ビデオモニタ装置は、少なくとも１つのビデオカメラと少なくとも１つの局所記憶装置と１つのデータ伝送サブシステムに接続される。本発明によれば、ビデオモニタ装置は、ビデオデータを各ビデオカメラから受信し、各ビデオカメラから受信したビデオデータの少なくとも一部を各局所記憶装置に記憶するように構成され、および／または各局所記憶装置からビデオデータを受信するように構成され、また、各ビデオカメラおよび／または各局所記憶装置から受信したビデオデータの少なくとも一部をデータ伝送サブシステムに伝送し、それらがビデオデータ収集および伝送装置および／または収集記憶装置および／またはインタフェース装置に伝送されるように構成される。
【００１５】
有利な実施形態において、ビデオモニタ装置は、ビデオモニタ装置および／または各ビデオカメラおよび／または各局所記憶装置の識別情報をビデオデータの少なくとも一部に割り当てるように構成され、ビデオモニタ装置は、ビデオデータの少なくとも一部を、ビデオモニタ装置および／または各ビデオカメラおよび／または各局所記憶装置の識別情報と一緒に伝送するように構成される。
【００１６】
ビデオモニタ装置は、ビデオデータの処理を行うように構成されてもよく、ビデオデータの処理は、伝送されるべきビデオデータの一部の圧縮および／または暗号化および／またはフォーマット変換および／またはアロケーションである。好ましい実施形態において、本発明のビデオモニタ装置は、ビデオデータを圧縮して、圧縮されたビデオデータの少なくとも一部を局所記憶装置および／またはデータ伝送サブシステムに伝送するように構成される。
【００１７】
本発明の目的を達成するために、複数のビデオカメラと、複数のビデオモニタ装置と、複数の局所記憶装置と、１つのデータ伝送サブシステムと、少なくとも１つの収集記憶装置と、少なくとも１つのインタフェース装置と、を含むビデオ伝送システムの中で使用されるビデオデータ収集および伝送装置も目標とされ、ビデオデータ収集および伝送装置は、地理的に分散した場所に設置された複数のビデオカメラおよび／または複数のビデオモニタ装置および／または複数の局所記憶装置からビデオデータを収集し、伝送するように構成される。このようなビデオ伝送システム内のビデオデータ収集および伝送装置は、データ伝送サブシステムと収集記憶装置とインタフェース装置に接続可能である。
【００１８】
本発明によれば、ビデオデータ収集および伝送装置は、ビデオデータをデータ伝送サブシステムから受信し、受信したビデオデータの少なくとも一部を少なくとも１つの収集記憶装置の中に保存するように構成される。ビデオデータは、場合に応じてビデオカメラおよび／またはビデオモニタ装置および／または局所記憶装置からデータ伝送サブシステムに到達する。
【００１９】
さらに、ビデオデータ収集および伝送装置は、見たいビデオデータの供給源となる、使用者により指定されたビデオカメラおよび／またはビデオモニタ装置および／または局所記憶装置、および／または使用者により指定された、および見る必要のあるビデオデータに関する情報をインタフェース装置から受信するように構成され、指定されたビデオデータの少なくとも一部をデータ伝送サブシステムおよび／または収集記憶装置から受信し、指定されたビデオデータの少なくとも一部を使用者に直接、またはインタフェース装置を通じて伝送するように構成される。
【００２０】
ビデオデータ収集および伝送装置は好ましくは、ビデオデータの処理を実行するように構成され、ビデオデータの処理は、伝送されるべきビデオデータの一部の圧縮および／または暗号化および／またはフォーマット変換および／またはアロケーションである。
【００２１】
本発明の目的はまた、複数のビデオカメラと、複数のビデオモニタ装置と、複数の局所記憶装置と、１つのデータ伝送サブシステムと、少なくとも１つのビデオデータ収集および伝送装置と、少なくとも１つの収集記憶装置と、を含むビデオ伝送システムのインタフェース装置によっても達成される。前記インタフェース装置は、データ伝送サブシステムおよび／またはビデオデータ収集および伝送装置および／または収集記憶装置に接続可能である。
【００２２】
本発明によるインタフェース装置は、少なくとも１名の使用者が、見たいビデオデータの供給源となるビデオカメラおよび／またはビデオモニタ装置および／または局所記憶装置、および／または見る必要のあるビデオデータを指定することを可能にする。使用者により指定された、見たいビデオデータの供給源となるビデオカメラおよび／またはビデオモニタ装置および／または局所記憶装置、および／または見る必要のあるビデオデータに関する情報はさらに、ビデオデータ収集および伝送装置および／または収集記憶装置に伝送されてもよい。さらに、インタフェース装置は、指定されたビデオデータの少なくとも一部を、データ伝送サブシステムおよび／またはビデオデータ収集および伝送装置および／または収集記憶装置から受信し、指定されたビデオデータの少なくとも一部を使用者に伝送するように構成される。
【発明の効果】
【００２３】
本発明の技術的成果は、地理的に広範囲に分散した場所で同時に開催されている複数のイベントを、提案のシステムを使ってモニタすることが可能となる点である。複数のビデオモニタ装置と収集記憶装置を使用するため、データ送信サブシステムの負荷が軽減され、また複数の局所記憶装置の使用によって、ビデオデータが失われる危険性の低減化と、ビデオ伝送システムの信頼性の向上が可能となる。その他の技術的成果は、ビデオカメラによって捕捉され、局所記憶装置に記憶されたが、ビデオデータ収集および伝送装置に伝送されなかったか、またはそれによって受信されず、収集記憶装置に保存されなかったビデオデータのすべてが、収集記憶装置において確実に利用可能となることである。さらに、ビデオモニタ装置および／またはビデオカメラの構成に応じて、画像を識別し、その後閲覧対象のビデオデータを選択することも可能となる。
【図面の簡単な説明】
【００２４】
【図１】本発明のいくつかの実施形態を示すビデオ伝送システムの例を示す。
【発明を実施するための形態】
【００２５】
本発明によるビデオ伝送システムが図１に示されており、複数のビデオカメラ１１、１２、２１〜２３、３１、４１、４２と、複数のビデオモニタ装置１５、２５、３５、４５と、複数の局所記憶装置１７、２７、３７、４７と、データ伝送サブシステム１と、２つのビデオデータ収集および伝送装置１０１、２０１と、２つの収集記憶装置１０２、２０２と、複数の使用者との接続手段１０５、２０５を有するインタフェース装置１０３、２０３と、を場合に応じて含んでいる。本発明によるビデオ伝送システムのいくつかの実施形態では、1つのビデオデータ収集および伝送装置と、１つの収集記憶装置と、１つのインタフェース装置のみが使用されてもよい。
【００２６】
ビデオカメラは、ビデオデータをビデオモニタ装置に伝送するように構成され、デジタルでもアナクロでもよい。アナログカメラの信号は、アナログ−デジタル変換器（ＡＤＣ）でデジタル化されてからビデオモニタ装置に入力される。システムは好ましくは、ビデオカメラのＣＣＤ（電荷結合素子）またはＣＭＯＳ（相補型金属酸化膜半導体）センサのビデオ信号を捕捉して、従来のフォーマットまたはこのシステムのために特に設計されたフォーマットのビデオデータストリームを生成するように構成された捕捉モジュールを含む。捕捉モジュール（ＡＤＣを含んでいてもよい）は、ビデオカメラまたはビデオモニタ装置の中に収容されていてもよい。
【００２７】
１つのビデオモニタ装置を、１台または複数のビデオカメラに接続してもよい。この接続は有線でも少なくとも部分的に無線でもよい。有線接続の場合、ビデオカメラはビデオモニタ装置に直接接続されてもよく、またはこのスプリッタを通じて接続されてもよい。接続は、共通データバスの使用によっても実現できる。本発明の好ましい実施形態では、現在利用可能なウェブカメラが使用される。ウェブカメラは通常、比較的小型の機器であり、光学素子と、画像を電気信号に変換する画像センサを含み、ビデオ画像信号がさらにデジタル化されて、たとえばＵＳＢ（ユニバーサルシリアルバス）を使ってコンピュータに伝送される。
【００２８】
利用可能なウェブカメラにより、ビデオデータと共に音声データも捕捉でき、音声データは、ウェブカメラに内蔵されたマイクロフォンによって検出され、電気デジタル信号に変換された音声を表す。本明細書では、ビデオデータの処理、伝送、保存について説明しているが、当業者にとっては当然のことながら、音声データを前記ビデオデータと一緒に、同時に、またはそれに追加して伝送してもよい。ある時間内に伝送される音声テータの量は伝送されるビデオデータのうちのわずかな部分であるため、音声データはビデオデータと同時に伝送されるとさらに仮定してもよいが、ビデオデータは、音声データを伴わずに伝送されてもよい。音声データは、ウェブカメラに内蔵されたマイクロフォンではなく、別個のマイクロフォンによって捕捉されてもよく、上記の説明はこのような音声データにも当てはまる。本明細書では、ビデオデータと音声データの伝送について説明しており、これらは場合に応じて、ビデオデータと音声データの断片（たとえば、ファイルまたはピース）として、またはストリームとして伝送されてもよい。ビデオデータおよび／または音声データの一部は、伝送されるべきビデオデータから削除してもよく、たとえば別々のフレームまたはフレームシーケンスを削除してもよい（削除されたデータは好ましくは、後で伝送される）。
【００２９】
本発明によれば、ビデオモニタ装置は、ビデオカメラが外付けであれば、これに接続できなければならず、そうでなければ内蔵ビデオカメラを備えていなければならず、またデータの送受信を可能にするためには、データ伝送サブシステムに接続できなければならない。前記接続は有線でも無線でもよい。したがって、ビデオモニタ装置は、ビデオデータをビデカメラから受信するように構成され、これを確実にするために、それは前記ビデオカメラをそこに接続できるようにするべきであり、また適切なハードウェアとソフトウェアを備えているべきである。たとえば、前記ウェブカメラが使用される場合、ビデオモニタ装置は１つまたは複数のＵＳＢポートおよび前記ビデオデータの受信を可能にするソフトウェアを備えているべきである。地理的に分散した場所の各々に、その場所でのビデオモニタ範囲の要求に応じて、１つまたは複数のビデオモニタ装置が設置される。本明細書および特許請求の範囲で使用されている「受信するように」、「受信した」、または「受信」という用語は、「取得するように」、「取得した」、または「取得」にそれぞれ置き換えることができる。
【００３０】
好ましくは、各場所に少なくとも１つのビデオモニタ装置を設置し、前記ビデオモニタ装置に１台または複数のビデオカメラと１つまたは複数の記憶装置を接続する。本発明によるビデオモニタ装置は、ビデオカメラからビデオデータを受信するように構成され、ビデオカメラから受信したビデオテータの少なくとも一部を局所記憶装置に伝送するように構成される。ビデオモニタ装置は、ハードウェア、ソフトウェアまたはファームウェアとして実現される以下のモジュールを含んでいてもよい。すなわち、ビデオカメラおよび／または局所記憶装置から受信したビデオデータの処理を行うように構成されたデータ処理モジュールと、ビデオデータの少なくとも一部を、たとえばビデオデータ収集および伝送装置に、データ伝送サブシステムを通じて伝送するように構成されたデータ伝送モジュールである。
【００３１】
データ処理モジュールは、最新技術から知られている各種の方法で実現でき、これらは好ましくは、プログラムに従って動作を実行するプロセッサに基づいて実現される。同時に、データ処理モジュールはビデオカードとして実装されてもよく、ビデオカードはビデオデータ処理のために内蔵型またはプラグイン型として設計されてもよい。ビデオデータの処理は、ビデオデータの圧縮および／または暗号化および／またはフォーマット変換であってもよい。ビデオデータの一部を伝送する場合の伝送するべきビデオデータの決定は、ビデオデータへの識別情報の割り当て、ビデオデータの記憶装置とデータ伝送モジュールへの送信もビデオデータ処理に関連する。
【００３２】
データ伝送モジュールは好ましくは、ビデオモニタ装置とデータ伝送サブシステムの間を接続するネットワークカードである。ネットワークカードは内蔵型でも、たとえばＵＳＢを通じたプラグイン型でもよい。
【００３３】
ビデオモニタ装置のいくつかのモジュールまたはビデオモニタ装置全体を、ビデオカメラおよび／または局所記憶装置の中に設置してもよく、たとえばその本体内に収容してもよい。反対に、ビデオカメラおよび／または局所記憶媒体の中のいくつかの構成要素をビデオモニタ装置の中に配置してもよく、たとえばその本体内に収容してもよい。ビデオモニタ装置は、アクセス制限された場所に設置してもよい。
【００３４】
データ処理モジュールおよび／またはビデオカメラからのビデオデータの少なくとも一部を受信し、保存するように構成された局所記憶装置は、重要な役割を果たす。局所記憶装置は好ましくは、ビデオモニタ装置の一部であり、あるいはこれらは外付け記憶装置としてビデオモニタ装置に接続され、たとえばビデオモニタ装置の設置場所と同じ場所に、またはそこから離れた場所に設置されてもよい。局所記憶装置は、アクセス制限された場所に設置されてもよい。いくつかの実施形態において、局所記憶装置は、ビデオカメラおよび／またはデータ伝送サブシステムに直接接続されてもよく、これによってデータの直接的な送受信が可能となる。局所記憶装置は各種の方法で実現でき、これはハードディスク、不揮発性メモリ、ランダムアクセスメモリ、光記録装置、メモリカード、または当業界で知られており市場で入手可能なその他の記憶装置であってもよい。使用される記憶装置によって提供されるべき重要なパラメータは、記憶容量とデータ保存速度である。記憶容量は、モニタ対象のイベントの開催期間全体にわたって受信されるすべてのデータ（音声データも含む）または後に伝送されるビデオデータの一部を保存するのに十分とする。データ保存速度は、すべての受信データを喪失することなく保存するのに十分とする。１つまたは複数の記憶装置の記憶容量またはデータ保存速度が十分でない場合は、追加の記憶装置を使って必要なパラメータを提供してもよい。ビデオデータが同時に、局所記憶装置に保存され、データ伝送サブシステムを通じてビデオデータ収集および伝送装置、収集記憶装置、および／またはインタフェース装置に伝送される場合は、相応のビデオデータ保存速度と十分なビデオデータ伝送速度が提供されるべきである。
【００３５】
局所記憶装置は、有利な点として、ビデオカメラから供給され、好ましくはビデオモニタ装置によって処理されたすべてのビデオデータを保存することによって、たとえばこれらをビデオデータ収集および伝送装置に伝送している間に失われる危険性を低減させ、ビデオデータ収集および伝送装置および／または収集記憶装置の中でビデオデータの最も包括的な記録が確実に利用できるようにする。これが必要なのは、データ送信サブシステムが、ビデオデータ収集および伝送装置（またはビデオデータ収集および伝送装置に接続された収集記憶装置）にデータを直接保存するのに必要な伝送速度またはチャネル伝送媒体の品質を保証できない状況や、ビデオデータ収集および伝送装置自体が複数のビデオモニタ装置からのすべてのデータを受信できるとは限らない状況がありうるからであり、このような場合、データ伝送サブシステムにより伝送可能およびビデオデータ収集および伝送装置により受信可能なデータの一部が送信され、その一方、伝送されずに局所記憶装置内に保存されていたデータは後で伝送される。ビデオデータの部分的伝送は、記憶装置の内に記録された、またはビデオカメラから直接受信されたビデオデータを時間間隔に分割することに基づいて、またはフレームレートを下げて行われてもよい。データ伝送チャネルが故障した場合、すなわちデータ伝送サブシステムを通じてデータを伝送できなくなった場合、局所記憶装置によって、後で伝送されるための情報が確実に保存される。同時に、局所記憶装置は、データ伝送サブシステムの状態と収集記憶装置のアクセス可能性を追跡でき、データ伝送チャネルが復旧した時に、これらは引き続きデータを収集記憶装置に伝送することができる。局所記憶装置は、記憶されたビデオデータをビデオモニタ装置、ビデオデータ収集および伝送装置または、たとえばデータ伝送サブシステムの一部か別個の記憶装置である、その他の記憶装置に伝送するように構成されもよい。
【００３６】
本発明によるデータ伝送サブシステムは、ビデオデータの少なくとも一部を複数のビデオモニタ装置から受け取り、ビデオデータの少なくとも一部をビデオデータ収集および伝送装置に伝送するように構成される。データ伝送サブシステムは、光、衛星および／または無線通信によるものであってもよく、データ伝送ネットワーク、たとえばローカルエリアネットワークまたはインターネットとして実現されてもよい。前記の種類の通信手段を組み合わせてもよく、その場合、データ伝送チャネルは相互に接続されていても、または独立していてもよく、その一方で好ましくは、既存のデータ伝送チャネルが使用される。データ伝送サブシステムの一部を、ビデオモニタ装置の全部または一部からのビデオデータを伝送するために使用してもよい。好ましくは、データ伝送サブシステムによって、ビデオカメラ、ビデオモニタ装置および／または局所記憶装置からデータをビデオデータ収集および伝送装置、収集記憶装置、および／またはインタフェース装置へと伝送するのに十分な伝送速度が確保される。
【００３７】
ビデオデータ収集および伝送装置または複数のこれらの装置は、データ伝送サブシステムに接続され、ビデオデータをビデオモニタ装置から、データ伝送サブシステムを通じて受信するように構成される。いくつかの実施形態において、ビデオデータ収集および伝送装置は、ビデオデータをビデオカメラおよび／または局所記憶装置から直接受信してもよい。データを保存するために、ビデオデータ収集および伝送装置は、前記データを記憶するように構成された収集記憶装置をその一部として含むか、これに接続される。したがって、ビデオデータ収集および伝送装置は、受信したビデオデータの少なくとも一部を収集記憶装置の中に保存するように構成される。収集記憶装置に保存されたビデオデータは、さらに読み出し、閲覧できる。収集記憶装置は、局所記憶装置に関して上述したものと同じ種類の記憶装置を使って実現してもよいが、容量および／またはデータ保存速度は、同時に保存されるデータの量の増大に応じて大きく、速くするべきである。
【００３８】
インタフェース装置は、少なくとも１名の使用者が、ビデオカメラおよび／またはビデオモニタ装置、すなわち複数の供給源のうち、見たいビデオデータの供給源として必要なものを指定することができるように、および、好ましくは、使用者により指定されたビデオカメラおよび／またはビデオモニタ装置、および／または見る必要のあるビデオデータに関する情報が確実にビデオデータ収集および伝送装置および／または収集記憶装置に伝送されるように構成される。この目的のために、インタフェース装置によって、使用者は、複数のビデオカメラおよび／またはビデオモニタ装置の中から、使用者が見たいビデオデータを供給するビデオカメラおよび／またはビデオモニタ装置を選択できるようにしてもよい。他の実施形態では、インタフェース装置により、これと同じ目的のために、使用者はビデオカメラおよび／またはビデオモニタ装置の識別情報を指定できるようにしてもよい。
【００３９】
実施形態の１つにおいて、インタフェース装置は、使用者により指定されたビデオカメラおよび／またはビデオモニタ装置から受信するビデオデータを、データ伝送サブシステムおよび／またはビデオデータ収集および伝送装置および／または収集記憶装置から受信するように構成されてもよく、インタフェース装置は、データ伝送サブシステムおよび／またはビデオデータ収集および伝送装置および／または収集記憶装置から受信したビデオデータを使用者に伝送するように構成されてもよい。
【００４０】
ビデオデータ収集および伝送装置は、一体の装置として実装されても、複数のユニットまたはモジュールで構成されてもよい。いくつかの実施形態において、ビデオデータ収集および伝送装置とインタフェース装置は、組み合わせても、または統合型の装置として実現されてもよい。
【００４１】
ビデオカメラによって捕捉され、局所記憶装置によって保存されたが、何らかの理由でビデオデータ収集および伝送装置によって受信されず、および／または収集記憶装置によって保存されなかったビデオデータのすべてをビデオデータ収集および伝送装置および／または収集記憶装置に供給するために、ビデオモニタ装置に、収集記憶装置の中のビデオデータの少なくとも一部の受信／未受信および／またはその有無に関する情報を供給してもよい。この場合、ビデオモニタ装置はさらに、ビデオデータ収集および伝送装置によって受信されなかったビデオデータの少なくとも一部を局所記憶装置から受信し、このビデオデータを、データ伝送サブシステムを通じてビデオデータ収集および伝送装置に伝送するように構成される。ビデオデータの少なくとも一部の受信／未受信および／またはその有無に関する情報は、データ伝送サブシステムを通じて、あるいはその代わりに、またはそれに加えて、別のデータ伝送チャネルを通じて、複数のビデオモニタ装置に伝送されてもよい。収集記憶装置においてすべてのビデオデータが確実に利用可能となるようにするために、必要なビデオデータは、局所記憶装置から収集記憶装置に、データ伝送サブシステムを通じて、または別の方法で伝送されてもよい。データは、（ビデオモニタ期間全体にわたる）記録全体として、または必要な期間にわたる記録として伝送されてもよい。この伝送は、任意でも定期的でもよく、また、たとえば複数の局所記憶装置の全部についても一部についても実行されてよい。
【００４２】
画像を識別し、その後、ビデオモニタ装置および／またはビデオカメラの構成に応じて閲覧対象のビデオデータを選択できるようにするために、ビデオモニタ装置および／またはビデオカメラのデータ処理モジュールは、ビデオモニタ装置および／またはビデオカメラの識別情報をビデオデータの少なくとも一部に割り当てるように構成されてもよく、データ伝送モジュールは、ビデオデータの少なくとも一部をビデオモニタ装置および／またはビデオカメラの識別情報と一緒に伝送するように構成されてもよく、データ伝送サブシステムは、ビデオデータの少なくとも一部をビデオモニタ装置および／またはビデオカメラの識別情報と一緒に、複数のビデオモニタ装置から受信し、ビデオデータ収集および伝送装置に伝送するように構成されてもよい。ビデオモニタ装置および／またはビデオカメラの識別情報は、たとえば、ビデオデータ収集および伝送装置によって事前に決定されても、ある範囲内で定義されてもよい。他の実施形態において、識別情報はビデオデータの一部であってもよく、このような情報を割り当て、ビデオデータと一緒に伝送しなくてよくなる。識別情報が不要となりうるのは、また、ビデオデータが専用のリソース、たとえば専用のデータ伝送チャネルまたは、信号の時分割、周波数分割、コード分割を使用する場合の専用のリソースを通じて伝送される場合であり、これは、その場合にはビデオデータとビデオカメラおよび／またはビデオモニタ装置との１対１の対応が決定され、識別情報が、たとえばビデオデータ収集および伝送装置によって割り当てられるからである。
【００４３】
データ伝送サブシステムを通じて伝送され、局所記憶装置または収集記憶装置の中に保存されるビデオデータの量を減らすために、ビデオデータを圧縮してもよく、データ伝送モジュールは、ビデオデータの少なくとも一部を圧縮フォーマットでデータ伝送サブシステムを通じてビデオデータ収集および伝送装置に伝送するように構成されてもよく、局所記憶装置は、ビデオデータの少なくとも一部を圧縮フォーマットで、データ処理モジュールおよび／またはビデオカメラから受信し、また保存するように構成されてもよく、データ伝送サブシステムは、ビデオデータの少なくとも一部を圧縮フォーマットで、複数のビデオモニタ装置から受信し、ビデオデータ収集および伝送装置に伝送するように構成されてもよく、ビデオデータ収集および伝送装置は、ビデオデータの少なくとも一部を圧縮フォーマットで受信し、保存するように構成されてもよい。
【００４４】
本発明によるビデオ伝送システムは好ましくは、１０未満のビデオモニタ装置を含み、使用条件に応じて、このような装置を５０およびそれ以上含んでいてもよい。たとえば、システムが地域選挙のモニタに使用される場合、これは１００〜２００以上のモニタ装置を使用するかもしれず、システムが全国で行われる選挙のモニタに使用される場合は、投票所の数に応じて、これらの装置を１，０００〜数千以上使用するかもしれない。したがって、ビデオカメラの台数と保存されるビデオデータの量は、モニタ対象のイベントの種類によって異なる。１台、５台または１０台（またはそれ以上）のビデオカメラを１つのビデオモニタ装置に接続してもよい。注意すべき点として、同時開催のイベントが地理的に広く分散し、すなわち相互間の距離が数キロメートルから数万キロメートルに及ぶかもしれず、パーソナルコンピュータの使用で実現される複数のビデオモニタ装置の使用によって、ビデオデータ収集および伝送装置によるビデオデータの受信が可能となり、ビデオモニタ装置から分離されたデータ伝送サブシステムを使用することによって、システムがサブシステム、ブロック、モジュールに分割されるため、データ伝送コストが削減され、システム全体の信頼性が向上する。
【００４５】
ビデオ伝送システムの各種の構成を以下に説明する。第一の実施形態によるビデオ伝送システムが図１に示されており、ビデオカメラ１１、１２と、ビデオモニタ装置１５と、局所記憶装置１７と、データ伝送サブシステム１と、ビデオデータ収集および伝送装置１０１と、収集記憶装置１０２と、インタフェース装置１０３と、を使用し、以下のように動作する。２台のビデオカメラ１１、１２が画像を（好ましくはそれに伴う音声とともに）捕捉し、これらを電気信号としてビデオモニタ装置１５に伝送する。ビデオモニタ装置１５は、これらのビデオデータを受信して、そこに接続されている局所記憶装置１７に送信し、データ伝送サブシステム１を通じてこれらをビデオデータ収集および伝送装置１０１に伝送する。ビデオデータ収集および伝送装置１０１は、複数のビデオモニタ装置（ビデオモニタ装置１５を含む）により伝送されるビデオデータを受信し、これらを収集記憶装置１０２の中に保存する。同時に、使用者はインタフェース装置１０３を使って、このビデオカメラのビデオデータを見たいという特定のビデオカメラ、たとえばビデオモニタ装置１５に接続されたビデオカメラ１２を選択し、インタフェース装置１０３から受信したこの命令に従って、ビデオデータ収集および伝送装置１０１は、ビデオカメラ１２により捕捉され、ビデオカメラ１２に接続されているビデオモニタ装置１５から受信したビデオデータをその使用者に（たとえば、その使用者のウェブブラウザに）伝送する。ビデオカメラ１２からのビデオデータの送信はリアルタイムモードで実行され、これらのビデオデータは同時に収集記憶装置１０２の中に保存される。ビデオデータは、インタフェース装置１０３とデータ伝送チャネル１０５の中の１つを通じて使用者に伝送されても、またはビデオデータ収集および伝送装置１０１からのチャネル（図１では、このようなチャネルはチャネル１０５の上に示されている）を通じて使用者に直接伝送されてもよい。使用者がたとえば同じビデオカメラ１２からのものであるが、それより前に捕捉されたビデオデータ、すなわち以前の期間のビデオデータを見たければ、この場合、ビデオデータ収集および伝送装置１０１がインタフェース装置の命令に従って、収集記憶装置１０２をアドレス指定して、指定されたビデオカメラ１２と接続されているビデオモニタ装置１５から以前に受信し、後に使用者に閲覧用として送るために収集記憶装置１０２に保存されていた、指定されたビデオデータを読み出す。
【００４６】
第二の実施形態において、インタフェース装置１０３は、収集記憶装置１０２を直接アドレス指定し、そこから指定されたビデオデータを読み出してもよい（図１は、これらの間の接続を示している）。それゆえ、時間が経った昔のビデオデータを見るほかに、ビデオモニタ装置とビデオカメラから受信され、収集記憶装置に保存された現在のビデオデータをリアルタイムモードに近い方法で見ることも可能であり、これは、ビデオデータの時間遅延はすべて、収集記憶装置の性能に応じて、使用者にとっては気付かないか重要でないほどわずかな数値でありうるからである。
【００４７】
本発明の第三の実施形態において、ビデオカメラはそのビデオ信号を、ビデオモニタ装置だけでなく局所記憶装置にも入力してよく、これは、図１のビデオカメラ３１と局所記憶装置３７によって示されている。１台のみのビデオカメラ３１がビデオモニタ装置３５に接続されており、これがビデオデータを装置３５だけでなく記憶装置３７にも送信するという事実に従い、データ伝送サブシステム１は、装置３５だけでなく、局所記憶装置３７からもビデオデータを受信し、ビデオデータ収集および伝送装置に伝送してもよい。これはたとえば、リアルタイムモードに近い方法でのビデオデータの伝送に使用されてもよく、局所記憶装置の性能に応じて、ビデオデータの時間遅延はわずかな数値でありえ、データは実質的にそれほど遅れることなく伝送される。比較的長期間にわたるビデオデータの送信も同様に行うことができる。
【００４８】
本発明の第四の実施形態は図１において、３台のビデオカメラ２１、２２、２３と、ビデオモニタ装置２５と、局所記憶装置２７と、データ伝送サブシステム１と、ビデオデータ収集および伝送装置１０１と、収集記憶装置１０２と、インタフェース装置１０３によって示されている。本発明のこの実施形態が他の実施形態と異なるのは、図１に示されているように、ビデオカメラ２１、２２、２３と、ビデオモニタ装置２５と、局所記憶装置２７が共通データバスによって接続され、データ伝送サブシステム１が別の接続手段によってビデオモニタ装置２５と接続されている点である。この構成の結果として、ビデオカメラからのビデオデータは、ビデオモニタ装置と局所記憶装置に同時に到達してもよい。このような構成により、ビデオモニタ装置２５はデータ伝送サブシステムへのビデオデータの入力を制御できる。
【００４９】
図１に示されるように、ビデオカメラ４１、４２は、データ伝送サブシステム１と、ビデモニタ装置４５と、局所記憶装置４７に共通データバスによって接続されていてもよい（図に示されていないいくつかの実施形態において、局所記憶装置４７はビデオモニタ装置４５のみに接続されていてもよい）。この場合、ビデオカメラ４１、４２からのビデオデータは、データ伝送サブシステム１を使ってビデオデータ収集および伝送装置１０１または２０１に直接伝送されてよい。図１の装置２０１と２０３に関して示されているように、ビデオデータ収集および伝送装置がデータ伝送サブシステム１とインタフェース装置に接続されている場合、ビデオカメラ４１、４２からのビデオデータは、データ伝送サブシステム１とインタフェース装置２０３を通じて、または使用者が共通データバスにアクセスできる場合は、データ伝送サブシステム１から使用者に直接伝送されてもよい。収集記憶装置２０２は共通データバスに接続されていてもよく、これは図１に示されるように、データ伝送サブシステム１と装置２０１、２０２、２０３を接続するか、たとえば装置２０１、２０２、２０３のみ、またはデータ伝送サブシステム１と装置２０１、２０２のみを接続する（最後の２つの変形版は図に示されていない）。図１に示される構成の中でのビデオモニタ装置４５とビデオデータ収集および伝送装置２０１の目的は、収集記憶装置２０２の中のビデオデータ全体の利用可能性と局所記憶装置４７からの紛失ビデオデータの出力を制御することであってもよい。さらに、ビデオデータ収集および伝送装置は、ビデオデータを、インタフェース装置を迂回して使用者に伝送するために使用されてもよい。
【００５０】
本発明の１つの実施形態において、ビデオモニタ装置またはそのモジュールのいくつか、たとえばデータ伝送モジュールをビデオカメラの本体内に設置してもよく、すると、データ伝送サブシステムをビデオカメラ内に設置されたビデオモニタ装置のモジュールに接続できる。この場合、ビデオモニタ装置の、ビデオカメラからのビデオデータの受信と局所記憶装置への伝送を担当するモジュールをビデオカメラの本体内か局所記憶装置の本体内のいずれに設置してもよい。同時に、ビデオモニタ装置またはそのモジュールの一部を、局所記憶装置の中、たとえばその本体内に配置できる。
【００５１】
上記の実施形態は、本発明を限定することを意図したのではなく、本発明によるビデオ伝送システムの考えうる実施例を紹介するために概説した。上記の実施形態は、すべてまたは一部を組み合わせてもよく、たとえば、図１に示されているシステム構成要素のすべての種類の構成を１つのビデオ伝送システムの中に同時に実現してもよい。これに加えて、明細書では、ビデオデータの捕捉、保存、読み出し、伝送について説明したが、当業者にとっては当然のことながら、前記ビデオデータに伴う音声データに関しても、同じ動作を同時に、好ましく、実行してよい。同時に、上記の動作は音声データを伴わないビデオデータに関しても実行してよい。
【符号の説明】
【００５２】
１  データ伝送サブシステム、１１、１２、２１〜２３、３１、４１、４２  ビデオカメラ、１５、２５、３５、４５  ビデオモニタ装置、１７、２７、３７、４７  局所記憶装置、１０１、２０１  ビデオデータ収集および伝送装置、１０３、２０３  インタフェース装置。
【図１】
2015536610.tif 000003
【国際調査報告】
2015536610.tif 000004
2015536610.tif 000005